(57)【要約】【課題】マットシールの貫通孔における防水機能が損なわれることがなく、相手側端子に対する端子の通電不良が発生することがない防水コネクタおよびマットシールを提供する。【解決手段】電線が挿通される複数の貫通孔を有してハウジングに収容されるマットシール３を備え、マットシール３は、合成樹脂製のマットシール本体部３１に弾性材料製シール部３２を積層した２色成形体であり、マットシール本体部３１は、電線６が挿通される複数の貫通孔３ａが複数列状に配設されて、列状の複数の貫通孔３ａを真半分に分割するよう形成した分割面３ｂを介して相対するコア部分３ｃを有し、コア部分３ｃがヒンジ部３ｄにより連結されて閉じ合わさる開き形状に形成され、弾性材料製シール部３２は、相対するコア部分３ｃを閉じ合わせた状態のマットシール本体部３１の外周部および貫通孔３ａの内周部に積層されている。【選択図】図２
2016103346.tif 000002
【特許請求の範囲】
【請求項１】
端部に端子を圧着した電線が挿入される側にリアホルダ用収容空間と前記リアホルダ用収容空間の奥側に隣接するマットシール用収容空間と前記マットシール用収容空間の奥側に隣接する端子収容室とを有するように形成された合成樹脂製のハウジングと、
前記電線が挿通される複数の貫通孔を有して前記マットシール用収容空間に収容されるマットシールと、
前記電線が挿通される複数の貫通孔を有して前記リアホルダ用収容空間に収容される合成樹脂製のリアホルダと、を備え、
前記電線を前記リアホルダの貫通孔および前記マットシールの貫通孔に挿通し、前記端子を前記リアホルダ用収容空間に収容した防水コネクタであって、
前記マットシールは、合成樹脂製のマットシール本体部に弾性材料製シール部を積層した２色成形体よりなり、
前記マットシール本体部は、前記電線が挿通される複数の前記貫通孔が一列状または複数列状に配設されて、前記列状の複数の貫通孔を真半分に分割するよう形成した分割面を介して相対するコア部分を有し、コア部分がヒンジ部により連結されて閉じ合わさる開き形状に形成されるとともに、相対する前記コア部分を閉じ合わせた状態に保持する一対のロック部を有し、
前記弾性材料製シール部は、相対する前記コア部分を閉じ合わせた状態の前記マットシール本体部の外周部および前記貫通孔の内周部に積層されて、前記ハウジングの内周部および前記電線の外周部に密着するよう構成されていることを特徴とする防水コネクタ。
【請求項２】
前記弾性材料製シール部は、相対する前記コア部分の前記分割面にも積層されてなることを特徴とする請求項１に記載の防水コネクタ。
【請求項３】
電線が挿通される複数の貫通孔を有するとともに、合成樹脂製のハウジングに形成されたマットシール用収容空間に収容されるマットシールであって、
前記マットシールは、合成樹脂製のマットシール本体部に弾性材料製シール部を積層した２色成形体よりなり、
前記マットシール本体部は、前記電線が挿通される複数の前記貫通孔が一列状または複数列状に配設されて、前記列状の複数の貫通孔を真半分に分割するよう形成した分割面を介して相対するコア部分を有し、コア部分がヒンジ部により連結されて閉じ合わさる開き形状に形成されるとともに、相対する前記コア部分を閉じ合わせた状態に保持する一対のロック部を有し、
前記弾性材料製シール部は、相対する前記コア部分を閉じ合わせた状態の前記マットシール本体部の外周部および前記貫通孔の内周部に積層されて、前記ハウジングの内周部および前記電線の外周部に密着するよう構成されていることを特徴とするマットシール。
【請求項４】
前記弾性材料製シール部は、相対する前記コア部分の前記分割面にも積層されてなることを特徴とする請求項３に記載のマットシール。
【発明の詳細な説明】
【技術分野】
【０００１】
本発明は、防水コネクタおよびマットシールに関する。
【背景技術】
【０００２】
従来、端部に端子を圧着した電線の防水性を保持するよう構成した防水コネクタが知られている（例えば、特許文献１参照）。図６、図７は特許文献１に記載された防水コネクタと実質同一の防水コネクタ１０１を示すもので、防水コネクタ１０１は、合成樹脂製のハウジング１０２と、ゴム製のマットシール１０３と、合成樹脂製のリアホルダ１０４を有している。
【０００３】
ハウジング１０２は、端部に端子１０５を圧着した電線１０６が挿入される側に、リアホルダ用収容空間１０２ａと、リアホルダ用収容空間１０２ａの奥側に隣接するマットシール用収容空間１０２ｂと、マットシール用収容空間１０２ｂの奥側に隣接する端子収容室１０２ｃとを有するよう形成されている。また、ハウジング１０２は、リアホルダ用収容空間１０２ａの内周部の左右側面部に凸状係合部１０２ｄを有している。
【０００４】
マットシール１０３は、電線１０６が挿通される複数の貫通孔１０３ａを有し、外周部がハウジング１０２の内周部に全周にわたって密着するようマットシール用収容空間１０２ｂに収容されている。マットシール１０３は、電線１０６の外周部に貫通孔１０３ａの内周部が密着するようになっている。
【０００５】
リアホルダ１０４は、電線１０６が挿通される複数の貫通孔１０４ａを有し、リアホルダ用収容空間１０２ａに収容されている。リアホルダ１０４は、外周部の左右側面部に凹状係合部１０４ｂを有しており、リアホルダ用収容空間１０２ａに収容された際に、凹状係合部１０４ｂに前述の凸状係合部１０２ｄが嵌まり込んで、ハウジング１０２に固定されるようになっている。
【０００６】
端子１０５および電線１０６は、端子１０５を先頭にして、リアホルダ１０４の貫通孔１０４ａからマットシール１０３の貫通孔１０３ａに押し込まれ、リアホルダ１０４の貫通孔１０４ａとマットシール１０３の貫通孔１０３ａとに電線１０６が挿通され、ハウジング１０２の端子収容室１０２ｃに端子１０５が収容されている。
【０００７】
よって、防水コネクタ１０１は、ハウジング１０２の内周部に外周部が密着するとともに、電線１０６の外周部に貫通孔１０３ａの内周部が密着するマットシール１０３により、リアホルダ用収容空間１０２ａと端子収容室１０２ｃとの間の防水性を保持している。
【先行技術文献】
【特許文献】
【０００８】
【特許文献１】特開２００９−２１１３７号公報
【発明の概要】
【発明が解決しようとする課題】
【０００９】
しかしながら、上述した防水コネクタ１０１は、マットシール１０３の貫通孔１０３ａに端子１０５および電線１０６を押し込む際に、マットシール１０３の貫通孔１０３ａの内周部が端子１０５によって削り取られると、マットシール１０３の貫通孔１０３ａにおける防水機能が損なわれるという問題がある。
【００１０】
また、防水コネクタ１０１は、端子１０５の先端部に端子１０５によって削り取られたマットシール１０３の形成材料の破片が付着した状態になることがあり、このため、相手側端子に端子１０５を接続したときに、相手側端子と端子１０５と間で通電不良が発生するという問題がある。
【００１１】
本発明は、上述のような課題を解決するためになされたもので、マットシールの貫通孔における防水機能が損なわれることがなく、相手側端子に対する端子の通電不良が発生することがない防水コネクタおよびマットシールを提供することを目的としている。
【課題を解決するための手段】
【００１２】
本発明に係る防水コネクタは、上記目的を達成するため、端部に端子を圧着した電線が挿入される側にリアホルダ用収容空間と前記リアホルダ用収容空間の奥側に隣接するマットシール用収容空間と前記マットシール用収容空間の奥側に隣接する端子収容室とを有するように形成された合成樹脂製のハウジングと、前記電線が挿通される複数の貫通孔を有して前記マットシール用収容空間に収容されるマットシールと、前記電線が挿通される複数の貫通孔を有して前記リアホルダ用収容空間に収容される合成樹脂製のリアホルダと、を備え、前記電線を前記リアホルダの貫通孔および前記マットシールの貫通孔に挿通し、前記端子を前記リアホルダ用収容空間に収容した防水コネクタであって、前記マットシールは、合成樹脂製のマットシール本体部に弾性材料製シール部を積層した２色成形体よりなり、前記マットシール本体部は、前記電線が挿通される複数の前記貫通孔が一列状または複数列状に配設されて、前記列状の複数の貫通孔を真半分に分割するよう形成した分割面を介して相対するコア部分を有し、コア部分がヒンジ部により連結されて閉じ合わさる開き形状に形成されるとともに、相対する前記コア部分を閉じ合わせた状態に保持する一対のロック部を有し、前記弾性材料製シール部は、相対する前記コア部分を閉じ合わせた状態の前記マットシール本体部の外周部および前記貫通孔の内周部に積層されて、前記ハウジングの内周部および前記電線の外周部に密着するよう構成されている。
【００１３】
この構成により、本発明に係る防水コネクタは、端部に端子を圧着した電線をリアホルダの貫通孔に挿通し、次いで、相対するコア部分が開き形状になっているマットシール本体部の貫通孔の半部に積層された弾性材料製シール部に電線の所定部分を載置したうえ、相対するコア部分を閉じ合わせて、ロック部によりコア部分を閉じ合わせ状態を保持する。
【００１４】
さらに、本発明に係る防水コネクタは、端子を端子収容室に収容しつつ、マットシールをマットシール用収容空間に収容し、リアホルダをリアホルダ用収容空間に収容する。
【００１５】
これにより、マットシールは、相対するコア部分を閉じ合わせた状態のマットシール本体部の外周部および貫通孔の内周部に積層した弾性材料製シール部がハウジングの内周部および電線の外周部に密着し、リアホルダ用収容空間と端子収容室との間の防水性を保持する。
【００１６】
本発明に係る防水コネクタは、マットシールに端子を押し込まないため、端子によりマットシールの弾性材料製シール部が削り取られることがない。このため、マットシールの貫通孔における防水機能が損なわれることがなく、相手側端子に対する端子の通電不良が発生することがない。
【００１７】
また、本発明に係る防水コネクタは、合成樹脂製のマットシール本体部に弾性材料製シール部を積層した構成を有しているので、例えば、マットシール本体部の貫通孔に挿通される電線の外径が相違する場合に、貫通孔の位置がずれた状態にマットシール本体部が変形することがない。
【００１８】
これにより、本発明に係る防水コネクタは、マットシール本体部の各貫通孔に挿通される電線の外径が相違している場合でも、貫通孔の内周部に積層した弾性材料製シール部が電線の外周部に密着し、リアホルダ用収容空間と端子収容室との間の防水性が保持される。
【００１９】
上述した防水コネクタにおいて、前記弾性材料製シール部は、相対する前記コア部分の前記分割面にも積層されてなることが好ましい。
【００２０】
この構成により、本発明に係る防水コネクタは、相対するコア部分の分割面に積層した弾性材料製シール部が互いに密着する。
【００２１】
よって、本発明に係る防水コネクタは、マットシール本体部のコア部分における分割面の防水が確実になり、防水機能が一層向上する。
【００２２】
本発明に係るマットシールは、電線が挿通される複数の貫通孔を有するとともに、合成樹脂製のハウジングに形成されたマットシール用収容空間に収容されるマットシールであって、前記マットシールは、合成樹脂製のマットシール本体部に弾性材料製シール部を積層した２色成形体よりなり、前記マットシール本体部は、前記電線が挿通される複数の前記貫通孔が一列状または複数列状に配設されて、前記列状の複数の貫通孔を真半分に分割するよう形成した分割面を介して相対するコア部分を有し、コア部分がヒンジ部により連結されて閉じ合わさる開き形状に形成されるとともに、相対する前記コア部分を閉じ合わせた状態に保持する一対のロック部を有し、前記弾性材料製シール部は、相対する前記コア部分を閉じ合わせた状態の前記マットシール本体部の外周部および前記貫通孔の内周部に積層されて、前記ハウジングの内周部および前記電線の外周部に密着するよう構成されている。
【００２３】
この構成により、本発明に係るマットシールは、相対するコア部分が開き形状になっているマットシール本体部の貫通孔の半部に積層された弾性材料製シール部に電線の所定部分を載置したうえ、相対するコア部分を閉じ合わせて、ロック部によりコア部分を閉じ合わせ状態を保持する。
【００２４】
さらに、本発明に係るマットシールは、ハウジングのマットシール用収容空間に収容されると、相対するコア部分を閉じ合わせた状態のマットシール本体部の外周部および貫通孔の内周部に積層した弾性材料製シール部がハウジングの内周部および電線の外周部に密着し、マットシールの一側の空間と他側の空間との間の防水性を保持する。
【００２５】
本発明に係るマットシールは、マットシールに端子を押し込まないため、端子によりマットシールの弾性材料製シール部が削り取られることがない。このため、マットシールの貫通孔における防水機能が損なわれることがなく、相手側端子に対する端子の通電不良が発生することがない。
【００２６】
上述したマットシールにおいて、前記弾性材料製シール部は、相対する前記コア部分の前記分割面にも積層されてなることが好ましい。
【００２７】
この構成により、本発明に係るマットシールは、相対するコア部分の分割面に積層した弾性材料製シール部が互いに密着する。
【００２８】
よって、本発明に係るマットシールは、マットシール本体部のコア部分における分割面の防水が確実になり、防水機能が一層向上する。
【発明の効果】
【００２９】
本発明によれば、マットシールの貫通孔における防水機能が損なわれることがなく、相手側端子に対する端子の通電不良が発生することがない防水コネクタおよびマットシールを提供することができる。
【図面の簡単な説明】
【００３０】
【図１】本発明の実施の形態に係る防水コネクタの部分縦断面図である。
【図２】本発明の実施の形態に係る防水コネクタにおいてマットシール本体部を閉じ合わせる前の正面図である。
【図３】本発明の実施の形態に係る防水コネクタにおいてマットシール本体部を閉じ合わせた後の正面図である。
【図４】図３のＡ−Ａ断面図である。
【図５】図３のＢ−Ｂ断面図である。
【図６】従来の防水コネクタの構成部材の部分斜視図である。
【図７】従来の防水コネクタの部分縦断面図である。
【発明を実施するための形態】
【００３１】
以下、本発明の実施の形態に係る防水コネクタおよびマットシールについて、図面を参照して説明する。
【００３２】
図１に示すように、本実施の形態に係る防水コネクタ１は、ハウジング２と、マットシール３と、リアホルダ４を有している。ハウジング２およびリアホルダ４は、ＰＢＴ（ポリブチレンテレフタレート）等の合成樹脂により形成されている。マットシール３は、ＰＢＴ等の合成樹脂とシリコーンゴム等の弾性樹脂により形成されている。
【００３３】
ハウジング２は、端部に端子５を圧着した電線６が挿入される側に、リアホルダ用収容空間２ａと、リアホルダ用収容空間２ａの奥側に隣接するマットシール用収容空間２ｂと、マットシール用収容空間２ｂの奥側に隣接する端子収容室２ｃとを有するよう形成されている。
【００３４】
マットシール３は、電線６が挿通される複数の貫通孔３ａを有し、外周部がハウジング２の内周部に全周にわたって密着するようマットシール用収容空間２ｂに収容されている。
【００３５】
リアホルダ４は、電線６が挿通される複数の貫通孔４ａを有し、リアホルダ用収容空間２ａに収容されている。
【００３６】
マットシール３の構成について詳述すると、図２、図３に示すように、マットシール３は、ＰＢＴ等の合成樹脂により形成されたマットシール本体部３１に、シリコーンゴム等の弾性材料よりなる弾性材料製シール部３２を積層した２色成形体である。
【００３７】
マットシール本体部３１は、電線６が挿通される複数の貫通孔３ａが横方向に３個並んだ列が上下２段にわたり配設されて、列状の複数の貫通孔３ａを真半分に分割するよう形成した分割面３ｂを介して上下に相対するコア部分３ｃを有し、コア部分３ｃがヒンジ部３ｄにより連結されて閉じ合わさる開き形状に形成されている。
【００３８】
マットシール本体部３１は、図４に示すように、相対するコア部分３ｃの前述のヒンジ部３ｄが形成されていない他端部に、相対するコア部分３ｃを閉じ合わせた状態に保持するためのフック状の凸状係合部３ｅおよび凹状係合部３ｆを有している。これら凸状係合部３ｅおよび凹状係合部３ｆは、本発明における一対のロック部を構成するものである。
【００３９】
凸状係合部３ｅは、相対するコア部分３ｃの一方に、他方のコア部分３ｃに向けて突出するよう形成されている。凹状係合部３ｆは、相対するコア部分３ｃの他方に形成され、相対するコア部分３ｃが閉じ合わされた際に、凸状係合部３ｅが嵌まり込んで相対するコア部分３ｃを閉じ合わせた状態に保持するよう構成されている。
【００４０】
マットシール本体部３１は、図５に示すように、相対するコア部分３ｃの各分割面３ｂに、凸状位置合わせ部３ｇおよび凹状位置合わせ部３ｈを有している。
【００４１】
凸状位置合わせ部３ｇは、相対するコア部分３ｃの一方または他方の分割面３ｂから相対するコア部分３ｃの分割面３ｂに向けて突出するよう形成されている。凹状位置合わせ部３ｈは、相対するコア部分３ｃの他方また一方の分割面３ｂに形成され、相対するコア部分３ｃが閉じ合わされた際に、凸状位置合わせ部３ｇが嵌まり込むよう構成されている。
【００４２】
これら凸状位置合わせ部３ｇおよび凹状位置合わせ部３ｈは、相互に嵌合すると、相対するコア部分３ｃの横方向への位置ずれや、電線軸方向への位置ずれを抑えるようになっている。
【００４３】
上述したマットシール本体部３１を構成するコア部分３ｃ、ヒンジ部３ｄ、凸状係合部３ｅおよび凸状位置合わせ部３ｇ等は、一体成形されている。
【００４４】
弾性材料製シール部３２は、相対するコア部分３ｃを閉じ合わせた状態のマットシール本体部３１の外周部および貫通孔３ａの内周部に積層されて、ハウジング２の内周部および電線６の外周部に密着するよう構成されている。
【００４５】
また、弾性材料製シール部３２は、相対するコア部分３ｃの分割面３ｂにも積層されて、相対するコア部分３ｃの分割面３ｂに積層した弾性材料製シール部３２が互いに密着するよう構成されている。
【００４６】
本実施の形態に防水コネクタ１は、端部に端子５を圧着した電線６をリアホルダ４の貫通孔４ａに挿通し、次いで、相対するコア部分３ｃが開き形状になっているマットシール本体部３１の貫通孔３ａの半部に積層された弾性材料製シール部３２に電線６の所定部分を載置したうえ、相対するコア部分３ｃを閉じ合わせて、凸状係合部３ｅおよび凹状係合部３ｆによりコア部分３ｃを閉じ合わせ状態を保持する。
【００４７】
さらに、本実施の形態に係る防水コネクタ１は、端子５を端子収容室２ｃに収容しつつ、マットシール３をマットシール用収容空間２ｂに収容し、リアホルダ４をリアホルダ用収容空間２ａに収容する。
【００４８】
これにより、マットシール３は、相対するコア部分３ｃを閉じ合わせた状態のマットシール本体部３１の外周部および貫通孔３ａの内周部に積層した弾性材料製シール部３２がハウジング２の内周部および電線６の外周部に密着し、リアホルダ用収容空間２ａと端子収容室２ｃとの間の防水性を保持する。
【００４９】
本実施の形態に係る防水コネクタ１は、マットシール３に端子５を押し込まないため、端子５によりマットシール３の弾性材料製シール部３２が削り取られることがなく、よって、マットシール３の貫通孔３ａにおける防水機能が損なわれることがなく、相手側端子に対する端子５の通電不良が発生することがない。
【００５０】
また、本実施の形態に係る防水コネクタ１は、相対するコア部分３ｃの分割面３ｂに積層した弾性材料製シール部３２が互いに密着するため、マットシール本体部３１のコア部分３ｃにおける分割面３ｂの防水が確実になり、防水機能が一層向上する。
【００５１】
さらに、本実施の形態に係る防水コネクタ１は、ＰＢＴ等の合成樹脂により形成されたマットシール本体部３１に、シリコーンゴム等の弾性材料よりなる弾性材料製シール部３２を積層した構成を有しているので、例えば、貫通孔３ａに挿通される電線６の外径が相違する場合に、貫通孔３ａの位置がずれた状態にマットシール本体部３１が変形することがない。
【００５２】
これにより、本実施の形態に係る防水コネクタ１は、各貫通孔３ａに挿通される電線６の外径が相違している場合でも、貫通孔３ａの内周部に積層した弾性材料製シール部３２が電線６の外周部に密着し、リアホルダ用収容空間２ａと端子収容室２ｃとの間の防水性が保持される。
【００５３】
以上説明したように、本発明に係る防水コネクタおよびマットシールは、マットシールの貫通孔における防水機能が損なわれることがなく、相手側端子に対する端子の通電不良が発生することがないという効果を有し、防水コネクタおよびマットシール全般に有用である。
【符号の説明】
【００５４】
１  防水コネクタ
２  ハウジング
２ａ  リアホルダ用収容空間
２ｂ  マットシール用収容空間
２ｃ  端子収容室
３  マットシール
３ａ  貫通孔
３ｂ  分割面
３ｃ  コア部分
３ｄ  ヒンジ部
３ｅ  凸状係合部（ロック部）
３ｆ  凹状係合部（ロック部）
４  リアホルダ
４ａ  貫通孔
５  端子
６  電線
３１  マットシール本体部
３２  弾性材料製シール部
【図１】
2016103346.tif 000003
【図２】
2016103346.tif 000004
【図３】
2016103346.tif 000005
【図４】
2016103346.tif 000006
【図５】
2016103346.tif 000007
【図６】
2016103346.tif 000008
【図７】
2016103346.tif 000009